(57)【要約】【課題】この発明は、構成部品が少なく、構成が簡単な電力量計用端子ブロックを提供するものである。【解決手段】前記端子ブロック本体に設けられた収納部と、前記収納部に収納され、モジュラージャックを有するモジュラージャック部とスイッチが搭載された第１の基板と、前記第１の基板上に前記第１の基板に対して垂直方向に配置され、イヤホンジャックが前記第１の基板に対して垂直方向に搭載された第２の基板と、前記第１の基板に搭載された前記スイッチと前記第２の基板に搭載された前記イヤホンジャックが遊嵌される穴部を有するジャックスペーサとを備え、前記第１の基板と前記第２の基板と前記ジャックスペーサとにより基板構成体を一体的に構成し、一体的に構成された前記基板構成体を前記端子ブロック本体に設けられた前記収納部に収納するようにしたものである。【選択図】図３
2015129664.tif 000002
【特許請求の範囲】
【請求項１】
電力量を計測する計器が収納された筐体に装着される端子ブロック本体と、前記端子ブロック本体に設けられた収納部と、前記収納部に収納され、モジュラージャックを有するモジュラージャック部とスイッチが搭載された第１の基板と、前記第１の基板上に前記第１の基板に対して垂直方向に配置され、イヤホンジャックが前記第１の基板に対して垂直方向に搭載された第２の基板と、前記第１の基板に搭載された前記スイッチと前記第２の基板に搭載された前記イヤホンジャックが遊嵌される穴部を有するジャックスペーサとを備え、前記第１の基板と前記第２の基板と前記ジャックスペーサとにより基板構成体を一体的に構成し、一体的に構成された前記基板構成体を前記端子ブロック本体に設けられた前記収納部に収納するようにしたことを特徴とする電力量計用端子ブロック。
【請求項２】
前記ジャックスペーサの前記穴部の上部に前記スイッチ側の寸法が前記スイッチの寸法より小さいテーパー状の操作部を設けたことを特徴とする請求項１に記載の電力量計用端子ブロック。
【請求項３】
前記ジャックスペーサに搭載された前記スイッチは、数字送りスイッチと設定／記憶スイッチであることを特徴とする請求項１または請求項２に記載の電力量計用端子ブロック。
【請求項４】
前記ジャックスペーサは、前記第２の基板を保持する基板保持部と前記第１の基板の前記モジュラージャック部を保持するモジュラージャック保持部とを設けたことを特徴とする請求項１から請求項３のいずれか１項に記載の電力量計用端子ブロック。
【請求項５】
前記端子ブロック本体に設けられた前記収納部は、前記ジャックスペーサを挿入させる第１の挿入用溝と前記第１の基板を挿入させる第２の挿入用溝とを設けたことを特徴とする請求項１から請求項４のいずれか１項に記載の電力量計用端子ブロック。
【発明の詳細な説明】
【技術分野】
【０００１】
この発明は、例えば電力量を計測する計器が収納された筐体に装着される電子式の電力量計用端子ブロックに関するものである。
【背景技術】
【０００２】
従来の電子式の電力量計用端子ブロックは、計量パルスサービス端子及び通信端子に対して上部又は下部にスイッチ部を配置するとともに、計量パルスサービス端子と通信端子とスイッチ部とを、端子ブロックとは別の凹形の別ピースブロックに組み込み、該別ピースブロックをユニットとして端子ブロックに組み込むことを特徴としている。
【０００３】
また、端子ブロックには処理部の設定を行う設定操作部以外に、処理部に外部から通信して処理部で処理した処理データを出力させるインタフェイス部が配設されることがあり、このインタフェイス部は取り付けスペースの関係上、端子ブロックの設定操作部が配設された面以外に配設されるように構成させている。（例えば、特許文献１  図１参照）
【先行技術文献】
【特許文献】
【０００４】
【特許文献１】特許第４２８４０１２号公報
【発明の概要】
【発明が解決しようとする課題】
【０００５】
上述した従来の電力量計用端子ブロックは、客先への計量パルスサービスや通信、時刻設定、最大需用電力復帰等の機能があるため、これらを実現するためのサービスパルス端子、通信端子、最大需用電力のＤＭ復帰スイッチ、設定／記憶スイッチ、数字送りスイッチ、イヤホンジャック、モジュラージャック等が必要である。また、これらの構成部品は端子ブロックの限られたスペースに設ける必要があるため、構成が複雑になるという問題点があった。
【０００６】
このような端子ブロック構造では、端子配列が異なり、スイッチ部、イヤホンジャック部、モジュラージャック部を組み合わせて端子ブロックに組込む必要がある。これらの構成部品を凹形の別ピースブロックに組み込んで端子ブロックの収納部に組み込む場合、端子ブロックを大きくくりぬいた収納部を設ける必要がある。これにより、充分な樹脂厚さが確保できず、端子ブロックの強度が低下するため、強度確保が困難となる。さらに、凹形の別ピースブロックを使用することにより、部品製作にコストが掛かるという課題がある。
【０００７】
図１６および図１７は従来の端子ブロックの収納部に収納される基板構成体の例を示すものであり、大基板１にはモジュラージャックを有するモジュールジャック部２と数字送りスイッチ５と設定／記憶スイッチ６が搭載されている。小基板３にはＤＭ復帰スイッチ７とイヤホンジャック８が搭載されている。大基板１に小基板３を組み込むとともにスイッチガード９を数字送りスイッチ５と設定／記憶スイッチ６に嵌めこんで数字送りスイッチ５と設定／記憶スイッチ６を保護し、これらの上にスイッチシート１０を装着し、スイッチシート１０の上に、数字送りスイッチ操作部１２と設定／記憶スイッチ操作部１３とＤＭ復帰スイッチ操作部１４を有するとともにイヤホンジャック８の挿通部１５を有するジャックスペーサ１１を組み込んで一体的にした状態の基板構成体を構成し、端子ブロックの収納部に収納するようにしており、このように基板構成体は構成部品が多く、構成が複雑になるという問題点があった。
【０００８】
この発明は、上記のような課題を解決するためになされたものであり、その目的は、構成部品が少なく、構成が簡単な電力量計用端子ブロックを提供するものである。
【課題を解決するための手段】
【０００９】
この発明に係わる電力量計用端子ブロックは、電力量を計測する計器が収納された筐体に装着される端子ブロック本体と、前記端子ブロック本体に設けられた収納部と、前記収納部に収納され、モジュラージャックを有するモジュラージャック部とスイッチが搭載された第１の基板と、前記第１の基板上に前記第１の基板に対して垂直方向に配置され、イヤホンジャックが前記第１の基板に対して垂直方向に搭載された第２の基板と、前記第１の基板に搭載された前記スイッチと前記第２の基板に搭載された前記イヤホンジャックが遊嵌される穴部を有するジャックスペーサとを備え、前記第１の基板と前記第２の基板と前記ジャックスペーサとにより基板構成体を一体的に構成し、一体的に構成された前記基板構成体を前記端子ブロック本体に設けられた前記収納部に収納するようにしたものである。
【発明の効果】
【００１０】
この発明に係わる電力量計用端子ブロックによれば、モジュラージャックを有するモジュラージャック部とスイッチが搭載された第１の基板と、第１の基板上に第１の基板に対して垂直方向に配置され、イヤホンジャックが第１の基板に対して垂直方向に搭載された第２の基板と、第１の基板に搭載されたスイッチと第２の基板に搭載されたイヤホンジャックが遊嵌される穴部を有するジャックスペーサとを備え、第１の基板と第２の基板とジャックスペーサとにより基板構成体を一体的に構成したことにより、構成部品が少なく、構成が簡単な電力量計を得ることができる。
【図面の簡単な説明】
【００１１】
【図１】この発明の実施の形態１に係わる電力量計用端子ブロックを装着した電力量計を示す平面図である。
【図２】この発明の実施の形態１に係わる電力量計用端子ブロックを示す平面図である。
【図３】この発明の実施の形態１に係わる電力量計用端子ブロックを示す図２のＡ−Ａ線における断面図である。
【図４】この発明の実施の形態1に係わる電力量計用端子ブロックの要部を示す断面図である。
【図５】この発明の実施の形態1に係わる電力量計用端子ブロックにおける収納部に収納される基板構成体を示す展開斜視図である。
【図６】この発明の実施の形態1に係わる電力量計用端子ブロックにおける収納部に収納される基板構成体を示す斜視図である。
【図７】この発明の実施の形態1に係わる電力量計用端子ブロックにおける収納部に収納される基板構成体を示す斜視図である。
【図８】この発明の実施の形態1に係わる電力量計用端子ブロックにおける収納部に基板構成体を収納する状態を示す斜視図である。
【図９】この発明の実施の形態1に係わる電力量計用端子ブロックにおけるジャックスペーサを裏面側から見た状態を示す斜視図である。
【図１０】この発明の実施の形態1に係わる電力量計用端子ブロックにおける基板構成体を示す断面図である。
【図１１】この発明の実施の形態1に係わる電力量計用端子ブロックにおける基板構成体を示す断面図である。
【図１２】この発明の実施の形態1に係わる電力量計用端子ブロックにおける基板構成体を示す断面図である。
【図１３】この発明の実施の形態1に係わる電力量計用端子ブロックにおける基板構成体を示す断面図である。
【図１４】この発明の実施の形態1に係わる電力量計用端子ブロックにおける基板構成体を示す断面図である。
【図１５】この発明の実施の形態1に係わる電力量計用端子ブロックにおける基板構成体を示す断面図である。
【図１６】従来の電力量計用端子ブロックにおける収納部に収納される基板構成体を示す展開斜視図である。
【図１７】従来の電力量計用端子ブロックにおける収納部に収納される基板構成体を示す斜視図である。
【発明を実施するための形態】
【００１２】
実施の形態１．
以下、この発明の実施の形態１を図１から図１５に基づいて説明するが、各図において、同一、または相当部材、部位については同一符号を付して説明する。図１はこの発明の実施の形態１に係わる電力量計用端子ブロックを装着した電力量計を示す平面図である。図２はこの発明の実施の形態１に係わる電力量計用端子ブロックを示す平面図である。図３はこの発明の実施の形態１に係わる電力量計用端子ブロックを示す図２のＡ−Ａ線における断面図である。図４はこの発明の実施の形態1に係わる電力量計用端子ブロックの要部を示す断面図である。図５はこの発明の実施の形態1に係わる電力量計用端子ブロックにおける収納部に収納される基板構成体を示す展開斜視図である。図６はこの発明の実施の形態1に係わる電力量計用端子ブロックにおける収納部に収納される基板構成体を示す斜視図である。図７はこの発明の実施の形態1に係わる電力量計用端子ブロックにおける収納部に収納される基板構成体を示す斜視図である。図８はこの発明の実施の形態1に係わる電力量計用端子ブロックにおける収納部に基板構成体を収納する状態を示す斜視図である。図９はこの発明の実施の形態1に係わる電力量計用端子ブロックにおけるジャックスペーサを裏面側から見た状態を示す斜視図である。図１０はこの発明の実施の形態1に係わる電力量計用端子ブロックにおける基板構成体を示す断面図である。図１１はこの発明の実施の形態1に係わる電力量計用端子ブロックにおける基板構成体を示す断面図である。図１２はこの発明の実施の形態1に係わる電力量計用端子ブロックにおける基板構成体を示す断面図である。図１３はこの発明の実施の形態1に係わる電力量計用端子ブロックにおける基板構成体を示す断面図である。図１４はこの発明の実施の形態1に係わる電力量計用端子ブロックにおける基板構成体を示す断面図である。図１５はこの発明の実施の形態1に係わる電力量計用端子ブロックにおける基板構成体を示す断面図である。
【００１３】
電力量を計測する計器が収納された筐体１０１に端子ブロック本体１０２が装着される。端子ブロック本体１０２には、図２において左端から中央にかけて端子１０３が配置され、端子１０３の右側にはサービスパルス端子１０４、さらにその右側には通信用端子１０５が配置されている。端子ブロック本体１０２の右端には、数字送りスイッチ１０６、設定／記憶スイッチ１０７、ＤＭ復帰スイッチ１０８、イヤホンジャック１０９、モジュラージャック１１０が配置されている。
【００１４】
端子ブロック本体１０２には収納部１０２ａが設けられている。端子ブロック本体１０２の収納部１０２ａにモジュラージャック１１０を有するモジュラージャック部１１１とスイッチ、例えば数字送りスイッチ１０６と設定／記憶スイッチ１０７が搭載された第１の基板１１２が収納される。第２の基板１１３が第１の基板１１２上に第１の基板１１２に対して垂直方向に配置され、イヤホンジャック１０９が第１の基板１１２に対して垂直方向に搭載されている。第２の基板１１３の垂直方向の高さは第１の基板１１２に搭載されたモジュラージャック部１１１の高さと略同一の高さとしている。そして、第２の基板１１３にはイヤホンジャック１０９間にはＤＭ復帰スイッチ１０８が搭載されている。
【００１５】
第１の基板１１２に搭載された数字送りスイッチ１０６、設定／記憶スイッチ１０７と第２の基板１１３に搭載されたイヤホンジャック１０９、ＤＭ復帰スイッチ１０８が遊嵌される穴部１１５，１１６，１１７，１１８を有するジャックスペーサ１１４が設けられている。そして、第１の基板１１２と第２の基板１１３とジャックスペーサ１１４とにより基板構成体１１９を一体的に構成し、一体的に構成された基板構成体１１９を端子ブロック本体１０２に設けられた収納部１０２ａに収納するようにしたものである。
【００１６】
基板構成体１１９を一体的に構成するには図５から図９に示すように、モジュラージャック１１０を有するモジュラージャック部１１１と数字送りスイッチ１０６と設定／記憶スイッチ１０７が搭載された第１の基板１１２上に、第１の基板１１２に対して垂直方向に配置され、イヤホンジャック１０９、ＤＭ復帰スイッチ１０８が第１の基板１１２に対して垂直方向に搭載された第２の基板１１３を載置する。そして、それらの上にジャックスペーサ１１４を載置し、ジャックスペーサ１１４の穴部１１５，１１６，１１７，１１８をそれぞれ数字送りスイッチ１０６、設定／記憶スイッチ１０７、イヤホンジャック１０９、ＤＭ復帰スイッチ１０８に遊嵌させることにより一体的に基板構成体１１９を構成することができる。
【００１７】
基板構成体１１９が一体的に構成されるのは、図９に示すように、ジャックスペーサ１１４の裏面側に設けた基板保持部１２０により第２の基板１１３を保持し、ジャックスペーサ１１４の裏面側に設けたモジュラージャック保持部１２１によりモジュラージャック部１１１、すなわち、第１の基板１１２を保持することにより実現できる。
【００１８】
このように一体的に構成された基板構成体１１９は、図８に示すように、端子ブロック本体１０２に設けられた収納部１０２ａに収納される。端子ブロック本体１０２に設けられた収納部１０２ａには、収納部１０２ａの上部側にジャックスペーサ１１４を挿入させる第１の挿入用溝１２２と収納部１０２ａの底部側に第１の基板１１２を挿入させる第２の挿入用溝１２３が設けられており、一体的に構成された基板構成体１１９のジャックスペーサ１１４の左右端部を第１の挿入用溝１２２に、一体的に構成された基板構成体１１９の第１の基板１１２の左右端部を第２の挿入用溝１２３にそれぞれ挿入していくことにより、一体的に構成された基板構成体１１９が端子ブロック本体１０２に設けられた収納部１０２ａに収納される。
【００１９】
以上のように、モジュラージャック１１０を有するモジュラージャック部１１１と数字送りスイッチ１０６と設定／記憶スイッチ１０７が搭載された第１の基板１１２と、第１の基板１１２上に第１の基板１１２に対して垂直方向に配置され、イヤホンジャック１０９、ＤＭ復帰スイッチ１０８が第１の基板１１２に対して垂直方向に搭載された第２の基板１１３と、第１の基板１１２に搭載された数字送りスイッチ１０６、設定／記憶スイッチ１０７と第２の基板１１３に搭載されたイヤホンジャック１０９、ＤＭ復帰スイッチ１０８が遊嵌される穴部１１５，１１６，１１７，１１８を有するジャックスペーサ１１４とを備え、第１の基板１１２と第２の基板１１３とジャックスペーサ１１４とにより基板構成体１１９を一体的に構成したことにより、上述した従来のようなスイッチシート１０、スイッチガード９は不要とすることができるので、構成部品が少なく、構成が簡単な電力量計用端子ブロックを得ることができる。また、構成部品が少なくなるので小型化も図ることができる。
【００２０】
また、ジャックスペーサ１１４の穴部１１５，１１６，１１８の上部には、数字送りスイッチ１０６側、設定／記憶スイッチ１０７側、ＤＭ復帰スイッチ１０８側のそれぞれの寸法が数字送りスイッチ１０６側、設定／記憶スイッチ１０７側、ＤＭ復帰スイッチ１０８側の寸法より小さいテーパー状の数字送りスイッチ操作部１２４，設定／記憶スイッチ操作部１２５，ＤＭ復帰スイッチ操作部１２６をそれぞれ設けており、それぞれのスイッチ操作の際に、それぞれのスイッチボタンの引っ掛かりを防止する役割を有しているので、スイッチ操作不具合発生を著しく低減することができる。さらに、ジャックスペーサ１１４の穴部１１５，１１６，１１８とテーパー状の数字送りスイッチ操作部１２４，設定／記憶スイッチ操作部１２５，ＤＭ復帰スイッチ操作部１２６との段付き構造により、数字送りスイッチ１０６、設定／記憶スイッチ１０７、ＤＭ復帰スイッチ１０８をそれぞれ覆うような構造となり、数字送りスイッチ１０６、設定／記憶スイッチ１０７、ＤＭ復帰スイッチ１０８の固定あるいは保持することができる。
【００２１】
なお、この発明は、その発明の範囲内において、各実施の形態を自由に組み合わせたり、各実施の形態を適宜、変形、省略することが可能である。
【産業上の利用可能性】
【００２２】
この発明は、構成部品が少なく、構成が簡単な電力量計用端子ブロックの実現に好適である。
【符号の説明】
【００２３】
１０１  筐体、１０２  端子ブロック本体、１０２ａ  収納部、１０６  数字送りスイッチ、１０７  設定／記憶スイッチ、１０８  ＤＭ復帰スイッチ、１０９  イヤホンジャック、１１０  モジュラージャック、１１１  モジュラージャック部、１１２  第１の基板、１１３  第２の基板、１１４  ジャックスペーサ、１１５  穴部、１１６  穴部、１１７  穴部、１１８  穴部、１１９  基板構成体、１２０  基板保持部、１２１  モジュラージャック保持部、１２２  第１の挿入用溝、１２３  第２の挿入用溝、１２４  数字送りスイッチ操作部、１２５  設定／記憶スイッチ操作部、１２６  ＤＭ復帰スイッチ操作部。
【図１】
2015129664.tif 000003
【図２】
2015129664.tif 000004
【図３】
2015129664.tif 000005
【図４】
2015129664.tif 000006
【図５】
2015129664.tif 000007
【図６】
2015129664.tif 000008
【図７】
2015129664.tif 000009
【図８】
2015129664.tif 000010
【図９】
2015129664.tif 000011
【図１０】
2015129664.tif 000012
【図１１】
2015129664.tif 000013
【図１２】
2015129664.tif 000014
【図１３】
2015129664.tif 000015
【図１４】
2015129664.tif 000016
【図１５】
2015129664.tif 000017
【図１６】
2015129664.tif 000018
【図１７】
2015129664.tif 000019